(57)【要約】      （修正有）【課題】安全かつ迅速にビル内から脱出するためのシステムを提供する。【解決手段】脱出ハンガーシステムにおいて、階段のある空間に設けられるスライドバー９と、スライドバー９にかみ合うスライドバー９を挟む上部品１と、スライドバー９にかみ合うスライドバー９を挟む下部品２と、スライドバー９を挟む下部品２と連接する荷重ロッド３と（荷重ロッド３において、速度制御ネジ８が設けられ、速度制御ネジ８に近い側に溝が設けられ、速度制御ネジ８がねじ込まれるネジ穴が溝と貫通する）、スライドバー９を挟む上部品１の上端と固定的に連接するハンガーロッド４と（ハンガーロッド４は荷重ロッド３の中央部とヒンジで連接する）、ヒンジポイントを通して荷重ロッド３とヒンジで連接するブレーキロッドと、溝にかけるバックル構造のハンガー部品６と、ハンガーロッド４の下端と固定的に連接する脱出袋７とを含む。【選択図】図４
2018118051.tif 000002
【特許請求の範囲】
【請求項１】
階段のある空間に設けられる一つのスライドバーと；
前記一つのスライドバーを挟む上部品と、
前記スライドバーを挟む上部品の下側の形は前記スライドバーの上側の形とかみ合い、前記スライドバーを挟む上部品の下側に上スライドパッドが設けられ、前記上スライドパッドは前記スライドバーの上側と接する；
前記一つのスライドバーを挟む下部品と、
前記スライドバーを挟む下部品の上側の形は前記スライドバーの下側の形とかみ合い、前記スライドバーを挟む下部品の上側に下スライドパッドが設けられ、前記下スライドパッドは前記スライドバーの下側と接する；
一つの荷重ロッドと、
前記荷重ロッドの一端は前記スライドバーを挟む下部品の下側と固定的に連接し、前記荷重ロッドの他の一端に一つの速度制御ネジが設けられ、前記速度制御ネジは前記荷重ロッドの他の一端の端面にねじ込まれ、前期荷重ロッドにある前記速度制御ネジに近い側にまた一つの溝が設けられ、前記溝は前記荷重ロッドの側面を貫通し、それに、前記速度制御ネジをねじ込むネジ穴は前記溝と貫通して、前記荷重ロッドの上端にある中央部に近いところに上方に伸びて、一つのヒンジポイントが形成される；
一つのハンガーロッドと、
前記ハンガーロッドの形はC字型であり、前記ハンガーロッドの上端は前記スライドバーを挟む上部品の上端と固定的に連接し、前記ハンガーロッドの下端は前記荷重ロッドの側の中央部に近い側にヒンジで連接する；
一つのブレーキロッドと、
前記ブレーキロッドの形は“∨”字型であり、前記ブレーキロッドの中央部はヒンジポイントを通して前記荷重ロッドとヒンジで連接する；
一つのハンガー部品と、
前記ハンガー部品はバックル構造であり、前記ハンガー部品は上記の溝に取り外し可能にかける；
一つの脱出袋と、
前記脱出袋の上端は前記ハンガー部品の下端に固定的に連接され、前記脱出袋に一人ぐらいの大きさの座る底部が設けられる；
を含むことを特徴とする脱出ハンガーシステム。
【請求項２】
前記スライドバーを挟む上部品はプレート構造で、前記プレート構造の下端面は円弧面で、前記プレート構造の下端面の形は前記スライドバーの上側の形にかみ合うことを特徴とする請求項１記載の脱出ハンガーシステム。
【請求項３】
前記スライドバーを挟む下部品はディスク構造で、前記ディスク構造の上端面は円弧面で、前記ディスク構造の上端の形は前記スライドバーの下側の形にかみ合うことを特徴とする請求項１記載の脱出ハンガーシステム。
【請求項４】
前記スライドを挟む下部品の両側に上方に伸びる二つの前記スライドバーの下側の両面を覆う突起が形成され、前記二つの突起はポジショニングを補助する機能を有することを特徴とする請求項１記載の脱出ハンガーシステム。
【請求項５】
前記ブレーキロッドは上記の“C”字型であるハンガーロッドの開口の内側に設けられ、前記ブレーキロッドはヒンジポイントを中心として回転することができ、前記ブレーキロッドの一端はブレーキ部であり、前記ブレーキ部の上端面は前記スライドバーの下側を止めることができ、前記ブレーキロッドの他の一端はハンドル部であることを特徴とする請求項１記載の脱出ハンガーシステム。
【請求項６】
前記ブレーキ部は前記スライドバーを挟む上部品の下端面に対向することを特徴とする請求項１記載の脱出ハンガーシステム。
【請求項７】
前記スライドバーは断面が円形管状構造であり、前記スライドバーは階段のある空間における壁に沿ってあるいは前記階段のある空間における手すりにそって斜めにインストールされ、前記スライドバーの側面は一つの構造部品を通して、階段のある空間における壁や手すりにインストールされ、前記スライドバーの上層と下層の間のコーナーのところを円滑に処理して、前記スライドバーの直線部分とコーナー部分とが同じテープを有し、前記スライドバーの端末に一つの水平的なバッファセクションが設けられ、前記バッファセクションの端末に一つの抜け止めためのストッパーが設けられることを特徴とする請求項１記載の脱出ハンガーシステム。
【請求項８】
前記溝は細長い形で、前記溝は前記荷重ロッドの長さ方向にそって設けられ、前記溝は前記速度制御ネジの長さより長くて、前記バックル構造の上端は前記溝内に滑る可能ということを特徴とする請求項１記載の脱出ハンガーシステム。
【請求項９】
前記スライドパッドと前記下スライドパッドはポリテトラフルオロエチレン材料を使うことを特徴とする請求項１記載の脱出ハンガーシステム。
【請求項１０】
一つの脱出ハンガーシステム（上記の脱出ハンガーシステムは請求項１から９の任意一項の脱出ハンガーシステムであり）とを含み、
さらに、
工程１：階段に沿って前記スライドバーを取り付け、階段を降りる方向が時計回りの方向である場合、前記スライドバーは前記階段の右側の壁や手すりに設置され、階段を降りる方向が反時計回りの場合、前記スライドバーが前記階段の左側の壁や手すりに設置され、前記スライドバーの高さは階段のステップを踏む前に計算して0.9メートル以上である；
工程２：緊急な場合、前記スライドバーを挟む上部品と前記スライドバーを挟む下部品とは前記スライドバーにかみ合われるように、前記スライドバーを挟む上部品と前記スライドバーを挟む下部品とを前記スライドバーの上に設置する；
工程３：前記ハンガー部品を前記溝にかけて、前記速度制御ネジを前記ネジ穴にねじ込み、前記ねじ込まれた速度制御ネジの一端で前記バックル構造を止め、前記ねじ込まれた速度制御ネジの長さを調整することに従って、前記ハンガー部品は前記溝に対する位置を調整して、レバー原理によって利用方の落下速度を調整することができる；
工程４：利用方は前記脱出袋に座り、両足を上げて、前記スライドバーに沿って滑り降りる；
工程５：速度を落とすあるいはブレーキをかける必要な場合、前記ブレーキロッドのブレーキ部が前記スライドバーの下端に届くまで、前記ブレーキロッドのハンドル部をダウンし、摩擦力により前記脱出袋に速度を落としまたはブレーキをかける；
を含むことを特徴とする脱出ハンガーシステムの使用方法。
【発明の詳細な説明】
【技術分野】
【０００１】
本発明はハンガーシステムに関し、特に脱出ハンガーシステムに関する。
【背景技術】
【０００２】
社会の発展とともに、人口の数がますます増加し、ビル特に高層ビルが人々の住宅あるいは仕事の場所として多くなっている。しかし、これらのビルは災害（例えば火災や地震など）が発生したときにエレベーターは使用禁止であるので、階段を通って脱出せざるをえない。そのような状況下では、二つの欠陥がある。その一つは脱出速度が遅いこと、もう一つは人々は慌ただしい場合、踏み外しや落ちるなど状況が発生しやすいため、余計な死傷につながることである。そこで、災害発生時において、避難者を助けて安全かつ迅速にビル内から脱出するためのシステムが必要になってきている。
【発明の概要】
【０００３】
上述した問題に対して、本発明の目的は脱出ハンガーシステムを提供する。
【０００４】
上述した目的を実現するため、本発明は以下の技術解決案を採用し、すなわち：
脱出ハンガーシステムにおいて、階段のある空間に設けられる一つのスライドバーと；一つのスライドバーを挟む上部品と、上記のスライドバーを挟む上部品の下側の形は上記のスライドバーの上側の形とかみ合い、上記のスライドバーを挟む上部品の下側に上スライドパッドが設けられ、上記の上スライドパッドは上記のスライドバーの上側と接する；一つのスライドバーを挟む下部品と、上記のスライドバーを挟む下部品の上側の形は上記のスライドバーの下側の形とかみ合い、上記のスライドバーを挟む下部品の上側に下スライドパッドが設けられ、上記の下スライドパッドは上記のスライドバーの下側と接する；一つの荷重ロッドと、上記の荷重ロッドの一端は上記のスライドバーを挟む下部品の下側と固定的に連接し、上記の荷重ロッドの他の一端に一つの速度制御ネジが設けられ、上記の速度制御ネジは上記の荷重ロッドの他の一端の端面にねじ込まれ、上記の荷重ロッドにある上記の速度制御ネジに近い側にまた一つの溝が設けられ、上記の溝は上記の荷重ロッドの側面を貫通し、それに、上記の速度制御ネジをねじ込むネジ穴は上記の溝と貫通して、上記の荷重ロッドの上端にある中央部に近いところに上方に伸びて、一つのヒンジポイントが形成される；一つのハンガーロッドと、上記のハンガーロッドの形はC字型であり、上記のハンガーロッドの上端は上記のスライドバーを挟む上部品の上端と固定的に連接し、上記のハンガーロッドの下端は上記の荷重ロッドの側の中央部に近い側にヒンジで連接する；一つのブレーキロッドと、上記のブレーキロッドの形は“∨”字型であり、上記のブレーキロッドの中央部はヒンジポイントを通して上記の荷重ロッドとヒンジで連接する；一つのハンガー部品と、上記のハンガー部品はバックル構造であり、上記のハンガー部品は上記の溝に取り外し可能にかける；一つの脱出袋と、上記の脱出袋の上端は上記のハンガー部品の下端に固定的に連接され、上記の脱出袋に一人ぐらいの大きさの座る底部が設けられる；以上を含む。
【０００５】
上記の脱出ハンガーシステムにおいて、上記のスライドバーを挟む上部品はプレート構造で、上記のプレート構造の下端面は円弧面で、上記のプレート構造の下端面の形は上記のスライドバーの上側の形にかみ合う。
【０００６】
上記の脱出ハンガーシステムにおいて、上記のスライドバーを挟む下部品はディスク構造で、上記のディスク構造の上端面は円弧面で、上記のディスク構造の上端の形は上記のスライドバーの下側の形にかみ合う。
【０００７】
上記の脱出ハンガーシステムにおいて、上記のスライドを挟む下部品の両側に上方に伸びる二つの上記のスライドバーの下側の両面を覆う突起が形成され、上記の二つの突起はポジショニングを補助する機能を有する。
【０００８】
上記の脱出ハンガーシステムにおいて、上記のブレーキロッドは上記の“C”字型であるハンガーロッドの開口の内側に設けられ、上記のブレーキロッドはヒンジポイントを中心として回転することができ、上記のブレーキロッドの一端はブレーキ部であり、上記のブレーキ部の上端面は上記のスライドバーの下側を止めることができ、上記のブレーキロッドの他の一端はハンドル部である。
【０００９】
上記の脱出ハンガーシステムにおいて、上記のブレーキ部は上記のスライドバーを挟む上部品の下端面に対向する。
【００１０】
上記の脱出ハンガーシステムにおいて、上記のスライドバーは断面が円形管状構造であり、上記のスライドバーは階段のある空間における壁に沿ってあるいは上記の階段のある空間における手すりに沿って斜めに取り付けられ、上記のスライドバーの側面は一つの構造部品を通して、階段のある空間における壁や手すりに取り付けられ、上記のスライドバーの上層と下層の間のコーナーのところを円滑に処理して、上記のスライドバーの直線部分とコーナー部分とが同じテープを有し、上記のスライドバーの端末に一つの水平的なバッファセクションが設けられ、上記のバッファセクションの端末に一つの抜け止めためのストッパーが設けられる。
【００１１】
上記の脱出ハンガーシステムにおいて、上記の溝は細長い形で、上記の溝は上記の荷重ロッドの長さ方向にそって設けられ、上記の溝は上記の速度制御ネジの長さより長くて、上記のバックル構造の上端は上記の溝内に滑る可能。
【００１２】
上記の脱出ハンガーシステムにおいて、上記のスライドパッドと上記の下スライドパッドはポリテトラフルオロエチレン材料（テフロン（登録商標））を使う。
【００１３】
脱出ハンガーシステムの使用方法において、一つの脱出ハンガーシステム（上記の脱出ハンガーシステムは請求1から9の任意一項の脱出ハンガーシステムであり）とを含み、
さらに、
工程１：階段に沿って上記のスライドバーを取り付け、階段を降りる方向が時計回りの方向である場合、上記のスライドバーは上記の階段の右側の壁や手すりに設置され、階段を降りる方向が反時計回りの場合、上記のスライドバーが上記の階段の左側の壁や手すりに設置され、上記のスライドバーの高さは階段のステップを踏む前に計算して0.9メートル以上である；
工程２：緊急な場合、上記のスライドバーを挟む上部品と上記のスライドバーを挟む下部品とは上記のスライドバーにかみ合われるように、上記のスライドバーを挟む上部品と上記のスライドバーを挟む下部品とを上記のスライドバーの上に設置する；
工程３：上記のハンガー部品を上記の溝にかけて、上記の速度制御ネジを上記のネジ穴にねじ込み、上記のねじ込まれた速度制御ネジの一端で上記のバックル構造を止め、上記のねじ込まれた速度制御ネジの長さを調整することに従って、上記のハンガー部品は上記の溝に対する位置を調整して、レバー原理によって利用方の落下速度を調整することができる；
工程４：利用方は上記の脱出袋に座り、両足を上げて、上記のスライドバーに沿って滑り降りる；
工程５：速度を落とすあるいはブレーキをかける必要な場合、上記のブレーキロッドのブレーキ部が上記のスライドバーの下端に届くまで、上記のブレーキロッドのハンドル部をダウンし、摩擦力により上記の脱出袋に速度を落としまたはブレーキをかける；
を含む。
【発明の効果】
【００１４】
本発明は上述技術を採用することで、既存の技術と比べて以下の積極的な効果を持ち、すなわち：
本発明の脱出ハンガーシステムは様々なビルの災害時の緊急事態に適用し、便利で、速やかに大量の人の流れを高いフロアから地上に至るまで送ることができ、また防火とスピードを調整する機能を持つし、簡単で使いやすくて、各種類の使う群体に適用する。
【図面の簡単な説明】
【００１５】
【図１】図１は本発明の脱出ハンガーシステムの示す図である。
【図２】図２は本発明の脱出ハンガーシステムの他の角度から見る示す図である。
【図３】図３は本発明の脱出ハンガーシステムの取付図及び使用方法を示す図である。
【図４】図４は本発明の脱出ハンガーシステムの図３を拡大する図である。
【図５】図５は本発明の脱出ハンガーシステムのスライドバーの断面図である。
【図６】図６は本発明の脱出ハンガーシステムのスライドバーを示す図である。
【図７】図７は本発明の脱出ハンガーシステムの応力解析図である。
【発明を実施するための形態】
【００１６】
以下は付図と具体的な実施の形態を参照しながら本発明をさらに説明するが、これらは本発明を限定するものではない。
【００１７】
図１は本発明の脱出ハンガーシステムを示す図であり、図２は本発明の脱出ハンガーシステムの他の角度から見て示す図であり、図３は本発明の脱出ハンガーシステムの取付図及び使用方法を示す図であり、図４は本発明の脱出ハンガーシステムの図３を拡大する図である。図１から図４までに一種類の好ましい実施形態の脱出ハンガーシステムを示した。脱出ハンガーシステムにおいて、スライドバー9、スライドバーを挟む上部品1とスライドバーを挟む下部品2を含み、スライドバー9は階段のある空間ないに設けられる。スライドバー9を挟む上部品1の下端面はスライドバー9の上側とかみ合う。スライドバーを挟む下部品2の上端面はスライドバーの下画面とかみ合う。スライドバー9は304ステンレス鋼で作られ、耐火性、耐錆性、耐熱性があり、メッキなどの表面処理が必要なくて、負荷に強くて、アルカリ溶液及びほとんどの有機酸や無機酸に良好な耐食性を有する。
【００１８】
また、好ましい実施形態の中で、脱出ハンガーシステムはさらに荷重ロッド3を含む。荷重ロッドの一端はスライドバーを挟む下部品2の下側面と固定的に連接し、荷重ロッド3の他の一端に速度制御ネジ8が設けられ、速度制御ネジ8は荷重ロッド3の他の一端の端面にねじ込まれ、荷重ロッド3にある速度制御ネジ8に近い側にまた一つの溝31が設けられ、溝1は荷重ロッド3の側面を貫通し、それに、速度制御ネジ8をねじ込むネジ穴は溝31と貫通して、荷重ロッド3の上端にある中央部に近いところに上方に伸びて、一つのヒンジポイント32が形成される。
【００１９】
また、好ましい実施形態の中で、脱出ハンガーシステムはさらにハンガーロッド4を含む。ハンガーロッド4の形状はC字型であり、ハンガーロッド4の上端はスライドバーを挟む上部品1の上端と固定的に連接し、ハンガーロッド4の下端は荷重ロッド3の側の中央部に近い側にヒンジで連接する。
【００２０】
さらに、好ましい実施形態の中で、脱出ハンガーシステムはブレーキロッド5を含む。ブレーキロッド5の形は“∨”字型であり、ブレーキロッド5の中央部はヒンジポイント32を通して荷重ロッド3とヒンジで連接する。
【００２１】
もっと、好ましい実施形態の中で、図３、図４を参照し続けて、脱出ハンガーシステムはハンガー部品6と脱出袋7を含む。ハンガー部品6はバックル構造であり、ハンガー部品6は溝31に取り外し可能的にかける。脱出袋7の上端はハンガー部品6の下端に固定的に連接され、脱出袋7に一人ぐらいの大きさの座る底部が設けられる。ハンガー部品5は202ステンレス鋼で作られ、負荷に強くて、変形しにくいし、保存と使用とに便利、耐食性に優れに平滑度が高い。脱出袋7は耐火材料で作られ、裸火に接しても燃えない、火災など緊急事態に適用する。
【００２２】
また、好ましい実施形態の中で、図１、図２を参照し続けて、スライドバーを挟む上部品1はプレート構造で、プレート構造の下端面は円弧面で、プレート構造の下端面の形はスライドバー9の上側の形にかみ合う。
【００２３】
なお、好ましい実施形態の中で、スライドを挟む下部品2の両側に上方に伸びる二つの上記のスライドバー9の下側の両面を覆う突起21が形成され、二つの突起21はポジショニングを補助する機能を有し、スライドバーを挟む下部品2に滑走する途中でスライドバー9の径方向に沿って揺れ動かせなくなった。
【００２４】
また、好ましい実施形態の中で、スライドバーを挟む下部品2はディスク構造で、ディスク構造の上端面は円弧面で、ディスク構造の上端の形はスライドバー9の下側の形にかみ合う。
【００２５】
以上はただ本発明の好ましい実施形態として、本発明の実施形態や保護範囲を制限するものではない。
【００２６】
本発明は上述に基づいて、また以下の実施方式がある：
本発明の更なる実施形態の中で、図１、図２、図３と図４に示した構造を引き続き参照して説明する。ブレーキロッド5はハンガーロッド4の“C”字型の開口内側に位置し、ブレーキロッド5はヒンジポイント32を中心として回転することができ、ブレーキロッド5の一端はブレーキ部51であり、ブレーキ部51の上端面はスライドバー9の下側を止めることができ、ブレーキロッド5の他の一端はハンドル部52である。
【００２７】
本発明の更なる実施形態の中で、ブレーキ部51はスライドバーを挟む上部品1の下端面に対向する。
【００２８】
本発明の更なる実施形態の中で、スライドバーを挟む上部品1の下部品とスライドバーを挟む下部品2とに共にスライドパッド（図面に示されてない）が設けられる。スライドパッドはポリテトラフルオロエチレン材料（テフロン（登録商標））で作られ、ショアー硬度は55-65、摩擦係数は0.12-0.17。耐熱性、耐寒性、耐食性、高潤滑などのメリットを持ち、脱出袋7に重力を加えた後、脱出袋7に連接されるスライドバーを挟む上部品1とスライドを挟む下部品2とはスライドパッドを通じて斜めなスライドバー9を滑り落ちる。
【００２９】
図５は本発明の脱出ハンガーシステムのスライドバーの断面図であり、図６は本発明の脱出ハンガーシステムのスライドバーを示す図である。図５と図６を参照して説明する。
【００３０】
本発明の更なる実施例の中で、スライドバー9は断面が円形の管状構造であり、スライドバー9は階段のある空間にある壁や手すりに沿って傾けて取り付けられ、スライドバー9の側面は構造部品10を通して階段のある空間にある壁や手すりに取り付けられ、同時にスライドバー9の上層と下層の間のコーナーは円滑的に処理され、スライドバー9の直線部分がコーナー部分と同じテーパーがあり、コーナーのところに、スライドバーを挟む上部品1とスライドバーを挟む下部品2とはスライドバー9のコーナーをスムーズに滑り落ちるようになった、それに、コーナーのところに滑走すると、減速することができ、利用者に遠心力で振られないようになった。
【００３１】
本発明の更なる実施形態の中で、図４と図５に示した構造を参照して説明する。図４は構造部品を壁や階段の手すりに取り付ける視角から示す図である。その中、構造部品10とスライドバー9との連接部はハンガーロッド4の“C”字型構造の開口の位置と整合され、ハンガーロッド4の“C”字型構造の開口部に取り付けられるスライドバーを挟む上部品1とスライドバーを挟む下部品2との間にも開口が形成され、よって構造部品10はハンガーロッド4に対してブロックにならないため、脱出袋7はスライドバー9からスムーズに滑り落ちることができる。
【００３２】
本発明の更なる実施形態の中で、溝31は細長い形で、溝31は荷重ロッド3の長さ方向にそって設けられ、溝31は速度制御ネジ8の長さより長くて、ハンガー部品6のバックル構造の上端は溝3中に滑ることが可能である。
【００３３】
本発明の更なる実施形態の中で、脱出袋7は折り畳み構造であり、脱出袋7をその両側と中央とに沿って小包に折り畳むことができる。
【００３４】
本発明の更なる実施形態の中で、手すりあるいは壁は階段に近い側に金属ストッパー（図面に示されてない）が設けられ、金属ストッパーはアルミニウム合金ステンレス材で作られ、滑り落ちる途中に人体が手すり中につまる危険を避けられ、柔軟性を持つため、人体と壁や手すりなどの間の衝突を緩和することができる。
【００３５】
本発明の更なる実施形態の中で、スライドバー9の端末に一つの水平的なバッファセクションが設けられ、利用者がスライドバー9の端末に滑り込むときに、バッファセクションで緩和して停止することができ、バッファセクションの端末に一つの球体が形成され、球体がスライドバー9を使用する方が慣性によりスライドバー9を滑り出すことを防ぐために用いられる。
【００３６】
本発明の更なる実施形態の中で、ハンガーロッド4の両側の側面に強化筋41がまた設けられ、強化筋41の形がハンガーロッド4の側面の形とかみ合う。
【００３７】
以上はただ本発明の好ましい実施形態を例示しただけで、本発明の実施形態や保護範囲を制限するものではない。
【００３８】
なお、本発明は一種類の脱出ハンガーシステムの使用方法を公開した図１から図６までに示した構造を引き続き参照して説明する：
工程１：階段に沿ってスライドバー9を取り付け、階段を降りる方向が時計回りの方向である場合、スライドバー9は階段の右側の壁や手すりに設置され；階段を降りる方向が反時計回りの場合、スライドバー9が階段の左側の壁や手すりに設置され、スライドバー9の高さは階段のステップを踏む前に計算して0.9メートル以上である；
階段の吹き抜けにあるスライドバー9の水平長さが0.5メートルより大きい場合、スライドバー9の高さは階段を踏む前から計算して1.05メートル以上である。
【００３９】
工程２：緊急な場合、スライドバーを挟む上部品1とスライドバーを挟む下部品2とはスライドバー9にかみ合われるように、スライドバーを挟む上部品1とスライドバーを挟む下部品2とをスライドバー9の上に設置する；
工程３：ハンガー部品6を溝31にかけて、速度制御ネジ8をネジ穴にねじ込み、ねじ込まれた速度制御ネジ8の一端でバックル構造を止め、ねじ込まれた速度制御ネジ8の長さを調整することに従って、ハンガー部品6は溝31に対する位置を調整して、レバー原理によって利用方の落下速度を調整することができる；
工程４：利用方は脱出袋7に座り、両足を上げて、スライドバーに沿って滑り降りる；
工程５：速度を落とすあるいはブレーキをかける必要な場合、ブレーキロッド5のブレーキ部52がスライドバー9の下端に届くまで、ブレーキロッド5のハンドル部52をダウンし、摩擦力により脱出袋7に速度を落としまたはブレーキをかける。
【００４０】
図７は本発明の脱出ハンガーシステムの応力解析図であり、図７に示した構造を参照して、本発明の作動原理を説明する。
【００４１】
（1）滑り落ち
利用方がハンガー部品に座ると、ハンガー部品6とスライドバー9とは滑り落ちる力Fを平衡する十分な摩擦力ｆを提供できないため、利用方が一定の速度で滑り落ちる。摩擦係数がμと、スライドバー9の傾斜角度がθと、利用方とハンガー部品6の総重力はGと、空気抵抗が0とすれば、滑り落ちる力Fは摩擦力ｆより大きい、即ちF=Gsinθ＞f=μFn=μGcosθ。
【００４２】
（2）ブレーキ
平衡レバー法則により：Fn・L1=G・L2、L1は一定のため、重力も一定で、平衡ネジを調整するのは動力アームL2を調整することと同じ。L2は変化するときFnも相応的に変化して、従って摩擦力ｆも変化し、よって、滑り落ちる力Fの大きさが変わる。また、加速度がa=F/mであり、滑り落ちる力Fが変化するとき、ハンガー部品に座る人々が滑り落ちる速度が従って変化し、その滑り落ちる速度は0.0m/s〜1.5m/sで制御される。
【００４３】
以上述べたのはただ本発明の好ましい実施の形態を例示したにすぎないものであり、本発明の実施形態や保護範囲を制限するものではない。当業者に対して、本発明の明細書お及び図面の内容を使って、等しい置換や変更によって作り出された方案は全て本発明の保護範囲内に含まれることに意識すべきである。
【符号の説明】
【００４４】
1…スライドバーを挟む上部品、2…スライドバーを挟む下部品、21…突起、3…荷重ロッド、31…溝、32…ヒンジポイント、4…ハンガーロッド、41…強化筋、5…ブレーキロッド、51…ブレーキ部、52…ハンドル部、6…ハンガー部品、7…脱出袋、8…速度制御ネジ、9…スライドバー、10…構造部品。
【図１】
2018118051.tif 000003
【図２】
2018118051.tif 000004
【図３】
2018118051.tif 000005
【図４】
2018118051.tif 000006
【図５】
2018118051.tif 000007
【図６】
2018118051.tif 000008
【図７】
2018118051.tif 000009